(57)【要約】【課題】情報コンテンツの提供契約を行ったユーザーの機器以外でのコンテンツの不正使用を、できるだけ抑制する。【解決手段】ＨＤＤを内蔵するＩＴ家電を使ったコンテンツ受配信システムにおいて、２層記録媒体の第１層には変更や消去が出来ない個別番号を、出荷時に書き込んでおき、コンテンツ供給契約時に個別番号を用いて契約公開鍵を作成し、ユーザーがコンテンツを実行する毎に、個別番号から実行公開鍵を作成し、契約公開鍵と実行公開鍵とが同一の個別番号であることが判明すれば、利用権利を与える。【選択図】　　　　図９
2004039035.tif 000002
【特許請求の範囲】
【請求項１】
記録媒体の記録層が２層で構成され、この２層のうち片側の１層には、メディア１枚毎に変更や消去が出来ない記録媒体の固有番号が予め書き込まれいる媒体を用いたコンテンツ受配信システムであって、
ユーザー側が公開鍵を作成する時に、該公開鍵に前記記録媒体の前記固有番号を含ませる公開鍵作成手段と、
ユーザー側がコンテンツ管理者に対してコンテンツ供給契約を結ぶ際に、前記固有番号が含まれている前記公開鍵を契約公開鍵としてコンテンツ供給契約に添付して送信する契約公開鍵送信手段と、
コンテンツ管理者から配信されるコンテンツであって、前記契約公開鍵が記録されているコンテンツをユーザ側で受信するコンテンツ受信手段と、
ユーザー側がコンテンツを起動する時に、ユーザー側で前記記録媒体の前記固有番号を含ませて実行公開鍵を作成する実行公開鍵作成手段と、
前記コンテンツに含まれる照合プログラムにより自動的に、前記実行公開鍵と受信した前記コンテンツに記録されている前記契約公開鍵とを照合して、それらの公開鍵が同一の記録媒体の固有番号から作成されていることが判明した時に、コンテンツを利用出来る権利を起動毎に与える照合手段と
を有することを特徴とするコンテンツ受配信システム。
【請求項２】
記録媒体の記録層が２層で構成され、この２層のうちの片側の１層には、メディア１枚毎に変更や消去が出来ない記録媒体の固有番号が予め書き込まれている媒体を用いたコンテンツ受配信システムであって、
ユーザー側が公開鍵を作成する時に、該公開鍵に前記記録媒体の前記固有番号を含ませる公開鍵作成手段と、
ユーザー側がコンテンツ管理者に対してコンテンツ供給契約を結ぶ際に、前記固有番号が含まれている前記公開鍵を契約公開鍵としてコンテンツ供給契約に添付して送信する契約公開鍵送信手段と、
コンテンツ管理者から配信されるコンテンツをユーザ側で受信するコンテンツ受信手段と、
ユーザー側がコンテンツを起動する時に、ユーザー側で前記記録媒体の前記固有番号を含ませて実行公開鍵の作成を行う実行公開鍵作成手段と、
ユーザー側がコンテンツを起動する時に、コンテンツ管理者が保管の前記契約公開鍵を要求して受信する契約公開鍵要求手段と、
前記コンテンツに含まれる照合プログラムにより自動的に、要求して配信された前記コンテンツ管理者が保管の前記契約公開鍵と前記実行公開鍵とを照合して、これらの公開鍵が同一の記録媒体の固有番号から作成されていることが判明した時に、コンテンツを利用出来る権利を起動毎に与える照合手段と
を有することを特徴とするコンテンツ受配信システム。
【請求項３】
記録媒体の記録層が２層で構成され、この２層のうちの片側の１層には、メディア１枚毎に変更や消去が出来ない記録媒体の固有番号が予め書き込まれている媒体を用いたコンテンツ受配信システムであって、
ユーザー側が公開鍵を作成する時に、該公開鍵に前記記録媒体の前記固有番号を含ませる公開鍵作成手段と、
ユーザー側がコンテンツ管理者に対してコンテンツ供給契約を結ぶ際に、前記固有番号が含まれている前記公開鍵を契約公開鍵としてコンテンツ供給契約に添付して送信する契約公開鍵送信手段と、
コンテンツ管理者から配信されるコンテンツをユーザ側で受信するコンテンツ受信手段と、
ユーザー側がコンテンツを起動する時に、ユーザー側で前記記録媒体の前記固有番号を含ませて実行公開鍵の作成を行う実行公開鍵作成手段と、
作成した前記実行公開鍵をコンテンツ管理者に送信する実行公開鍵送信手段と、
前記コンテンツに含まれる照合プログラムにより自動的に、コンテンツ管理者側において保管の前記契約公開鍵とユーザ側から送られてきた前記実行公開鍵とを照合して、これらの公開鍵が同一の記録媒体の固有番号から作成されていることが判明した時に、コンテンツを利用出来る権利を伝送経路を経由して、起動毎にユーザ側に与える照合手段と
を有することを特徴とするコンテンツ受配信システム。
【請求項４】
前記記録媒体は、情報端末機器に組込まれまたは接続されたハードディスク装置の記憶媒体であることを特徴とする請求項１から３のいずれかに記載のコンテンツ受配信システム。
【請求項５】
記録媒体の記録層が２層で構成され、この２層のうち片側の１層には、メディア１枚毎に変更や消去が出来ない記録媒体の固有番号が予め書き込まれいる媒体を用いたコンテンツ受配信方法であって、
ユーザー側が公開鍵を作成する時に、該公開鍵に前記記録媒体の前記固有番号を含ませる公開鍵作成ステップと、
ユーザー側がコンテンツ管理者に対してコンテンツ供給契約を結ぶ際に、前記固有番号が含まれている前記公開鍵を契約公開鍵としてコンテンツ供給契約に添付して送信する契約公開鍵送信ステップと、
コンテンツ管理者から配信されるコンテンツであって、前記契約公開鍵が記録されているコンテンツをユーザ側で受信するコンテンツ受信ステップと、
ユーザー側がコンテンツを起動する時に、ユーザー側で前記記録媒体の前記固有番号を含ませて実行公開鍵を作成する実行公開鍵作成ステップと、
前記コンテンツに含まれる照合プログラムにより自動的に、前記実行公開鍵と受信した前記コンテンツに記録されている前記契約公開鍵とを照合して、それらの公開鍵が同一の記録媒体の固有番号から作成されていることが判明した時に、コンテンツを利用出来る権利を起動毎に与える照合ステップと
を含むことを特徴とするコンテンツ受配信方法。
【請求項６】
記録媒体の記録層が２層で構成され、この２層のうちの片側の１層には、メディア１枚毎に変更や消去が出来ない記録媒体の固有番号が予め書き込まれている媒体を用いたコンテンツ受配信方法であって、
ユーザー側が公開鍵を作成する時に、該公開鍵に前記記録媒体の前記固有番号を含ませる公開鍵作成ステップと、
ユーザー側がコンテンツ管理者に対してコンテンツ供給契約を結ぶ際に、前記固有番号が含まれている前記公開鍵を契約公開鍵としてコンテンツ供給契約に添付して送信する契約公開鍵送信ステップと、
コンテンツ管理者から配信されるコンテンツをユーザ側で受信するコンテンツ受信ステップと、
ユーザー側がコンテンツを起動する時に、ユーザー側で前記記録媒体の前記固有番号を含ませて実行公開鍵の作成を行う実行公開鍵作成ステップと、
ユーザー側がコンテンツを起動する時に、コンテンツ管理者が保管の前記契約公開鍵を要求して受信する契約公開鍵要求ステップと、
前記コンテンツに含まれる照合プログラムにより自動的に、要求して配信された前記コンテンツ管理者が保管の前記契約公開鍵と前記実行公開鍵とを照合して、これらの公開鍵が同一の記録媒体の固有番号から作成されていることが判明した時に、コンテンツを利用出来る権利を起動毎に与える照合ステップと
を含むことを特徴とするコンテンツ受配信方法。
【請求項７】
記録媒体の記録層が２層で構成され、この２層のうちの片側の１層には、メディア１枚毎に変更や消去が出来ない記録媒体の固有番号が予め書き込まれている媒体を用いたコンテンツ受配信方法であって、
ユーザー側が公開鍵を作成する時に、該公開鍵に前記記録媒体の前記固有番号を含ませる公開鍵作成ステップと、
ユーザー側がコンテンツ管理者に対してコンテンツ供給契約を結ぶ際に、前記固有番号が含まれている前記公開鍵を契約公開鍵としてコンテンツ供給契約に添付して送信する契約公開鍵送信ステップと、
コンテンツ管理者から配信されるコンテンツをユーザ側で受信するコンテンツ受信ステップと、
ユーザー側がコンテンツを起動する時に、ユーザー側で前記記録媒体の前記固有番号を含ませて実行公開鍵の作成を行う実行公開鍵作成ステップと、
作成した前記実行公開鍵をコンテンツ管理者に送信する実行公開鍵送信ステップと、
前記コンテンツに含まれる照合プログラムにより自動的に、コンテンツ管理者側において保管の前記契約公開鍵とユーザ側から送られてきた前記実行公開鍵とを照合して、これらの公開鍵が同一の記録媒体の固有番号から作成されていることが判明した時に、コンテンツを利用出来る権利を伝送経路を経由して、起動毎にユーザ側に与える照合ステップと
を含むことを特徴とするコンテンツ受配信方法。
【請求項８】
前記記録媒体は情報端末機器に組込まれまたは接続されたハードディスク装置の記憶媒体であることを特徴とする請求項５から７のいずれかに記載のコンテンツ受配信方法。
【発明の詳細な説明】
【０００１】
【発明の属する技術分野】
本発明は、記録層を２層備えた記録媒体を用いたコンテンツ受配信システム、およびそのコンテンツ受配信方法に関し、特にインターネットを用いたコンテンツの受配信においてコンテンツの不正使用の防止技術に関する。
【０００２】
【従来の技術】
現在の情報化社会での業務，家庭生活には、パソコン（パーソナルコンピュータ）等の端末機器を用いた情報の受配信および多彩なデータ処理が必要不可欠となっている。当初は、ＣＤショップや書店などの専門店で販売されているＣＤ（コンパクトディスク）を媒体として、アプリケーションプログラムやゲームソフト等のソフトウエア（以下、ソフト），音楽、映像、情報等のコンテンツをユーザに対して供給されていたが、インターネットを代表とするＩＴ（インフォメーション・テクノロジー）が普及した現在では、コンテンツ管理者とユーザーが直接、インターネット等の通信網を利用して契約，課金，コンテンツ受配信ができるようになっており、そのためユーザは専門店に出向かなくても、希望のコンテンツを入手出来るようになって、すこぶる利便性が増している。その一方、以下に示すような不正使用の問題は後を絶たない。
１）インターネットによる情報コンテンツの配信の場合
パソコン等の端末機器を用いたインターネットによる情報コンテンツの提供が行われているが、殆どの契約ではコンテンツ配信契約を結んだ契約者の所有する特定機器でのみ使用が認められているにも拘わらず、実態はその提供されたコンテンツをコピー（複製）して、第三者が不正に使用しているというケースが多々見受けられる。
２）店頭でのソフトの市販の場合
店頭にて市販のソフトでも、不正使用を防止するために、ＩＤ番号，パスワードを設けているが、実態は契約者がＩＤ番号，パスワードを第三者に漏洩して、第三者が不正使用を行っている場合がある。
契約者がソフト，コンテンツ使用許託書の内容に同意し、不正使用を行わないことを前提としているにも拘わらず、上記のような不正使用が公然化しているのが現状である。また、ソフト，コンテンツ使用許託書の内容に同意した対象に対して、不正使用を行われていないかどうかの監視を行うという面でも、現在は簡単で有効な手段がないため、実際に行われていない。
【０００３】
【発明が解決しようとする課題】
本発明は、従来技術における上述の点に鑑みてなされたもので、その目的は、情報コンテンツの提供契約を行ったユーザーの機器以外でのコンテンツの不正使用を、できるだけ抑制することにある。
【０００４】
【課題を解決するための手段】
上記目的を達成するため、請求項１の発明は、記録媒体の記録層が２層で構成され、この２層のうち片側の１層には、メディア１枚毎に変更や消去が出来ない記録媒体の固有番号が予め書き込まれいる媒体を用いたコンテンツ受配信システムであって、ユーザー側が公開鍵を作成する時に、該公開鍵に前記記録媒体の前記固有番号を含ませる公開鍵作成手段と、ユーザー側がコンテンツ管理者に対してコンテンツ供給契約を結ぶ際に、前記固有番号が含まれている前記公開鍵を契約公開鍵としてコンテンツ供給契約に添付して送信する契約公開鍵送信手段と、コンテンツ管理者から配信されるコンテンツであって、前記契約公開鍵が記録されているコンテンツをユーザ側で受信するコンテンツ受信手段と、ユーザー側がコンテンツを起動する時に、ユーザー側で前記記録媒体の前記固有番号を含ませて実行公開鍵を作成する実行公開鍵作成手段と、前記コンテンツに含まれる照合プログラムにより自動的に、前記実行公開鍵と受信した前記コンテンツに記録されている前記契約公開鍵とを照合して、それらの公開鍵が同一の記録媒体の固有番号から作成されていることが判明した時に、コンテンツを利用出来る権利を起動毎に与える照合手段とを有することを特徴とする。
【０００５】
また、請求項２の発明は、記録媒体の記録層が２層で構成され、この２層のうちの片側の１層には、メディア１枚毎に変更や消去が出来ない記録媒体の固有番号が予め書き込まれている媒体を用いたコンテンツ受配信システムであって、ユーザー側が公開鍵を作成する時に、該公開鍵に前記記録媒体の前記固有番号を含ませる公開鍵作成手段と、ユーザー側がコンテンツ管理者に対してコンテンツ供給契約を結ぶ際に、前記固有番号が含まれている前記公開鍵を契約公開鍵としてコンテンツ供給契約に添付して送信する契約公開鍵送信手段と、コンテンツ管理者から配信されるコンテンツをユーザ側で受信するコンテンツ受信手段と、ユーザー側がコンテンツを起動する時に、ユーザー側で前記記録媒体の前記固有番号を含ませて実行公開鍵の作成を行う実行公開鍵作成手段と、ユーザー側がコンテンツを起動する時に、コンテンツ管理者が保管の前記契約公開鍵を要求して受信する契約公開鍵要求手段と、前記コンテンツに含まれる照合プログラムにより自動的に、要求して配信された前記コンテンツ管理者が保管の前記契約公開鍵と前記実行公開鍵とを照合して、これらの公開鍵が同一の記録媒体の固有番号から作成されていることが判明した時に、コンテンツを利用出来る権利を起動毎に与える照合手段とを有することを特徴とする。
【０００６】
また、請求項３の発明は、記録媒体の記録層が２層で構成され、この２層のうちの片側の１層には、メディア１枚毎に変更や消去が出来ない記録媒体の固有番号が予め書き込まれている媒体を用いたコンテンツ受配信システムであって、ユーザー側が公開鍵を作成する時に、該公開鍵に前記記録媒体の前記固有番号を含ませる公開鍵作成手段と、ユーザー側がコンテンツ管理者に対してコンテンツ供給契約を結ぶ際に、前記固有番号が含まれている前記公開鍵を契約公開鍵としてコンテンツ供給契約に添付して送信する契約公開鍵送信手段と、コンテンツ管理者から配信されるコンテンツをユーザ側で受信するコンテンツ受信手段と、ユーザー側がコンテンツを起動する時に、ユーザー側で前記記録媒体の前記固有番号を含ませて実行公開鍵の作成を行う実行公開鍵作成手段と、作成した前記実行公開鍵をコンテンツ管理者に送信する実行公開鍵送信手段と、前記コンテンツに含まれる照合プログラムにより自動的に、コンテンツ管理者側において保管の前記契約公開鍵とユーザ側から送られてきた前記実行公開鍵とを照合して、これらの公開鍵が同一の記録媒体の固有番号から作成されていることが判明した時に、コンテンツを利用出来る権利を伝送経路を経由して、起動毎にユーザ側に与える照合手段とを有することを特徴とする。
【０００７】
ここで、前記記録媒体は、情報端末機器に組込まれまたは接続されたハードディスク装置の記憶媒体であることを特徴とすることができる。
【０００８】
また、請求項５の発明は、記録媒体の記録層が２層で構成され、この２層のうち片側の１層には、メディア１枚毎に変更や消去が出来ない記録媒体の固有番号が予め書き込まれいる媒体を用いたコンテンツ受配信方法であって、ユーザー側が公開鍵を作成する時に、該公開鍵に前記記録媒体の前記固有番号を含ませる公開鍵作成ステップと、ユーザー側がコンテンツ管理者に対してコンテンツ供給契約を結ぶ際に、前記固有番号が含まれている前記公開鍵を契約公開鍵としてコンテンツ供給契約に添付して送信する契約公開鍵送信ステップと、コンテンツ管理者から配信されるコンテンツであって、前記契約公開鍵が記録されているコンテンツをユーザ側で受信するコンテンツ受信ステップと、ユーザー側がコンテンツを起動する時に、ユーザー側で前記記録媒体の前記固有番号を含ませて実行公開鍵を作成する実行公開鍵作成ステップと、前記コンテンツに含まれる照合プログラムにより自動的に、前記実行公開鍵と受信した前記コンテンツに記録されている前記契約公開鍵とを照合して、それらの公開鍵が同一の記録媒体の固有番号から作成されていることが判明した時に、コンテンツを利用出来る権利を起動毎に与える照合ステップとを含むことを特徴とする。
【０００９】
また、請求項６の発明は、記録媒体の記録層が２層で構成され、この２層のうちの片側の１層には、メディア１枚毎に変更や消去が出来ない記録媒体の固有番号が予め書き込まれている媒体を用いたコンテンツ受配信方法であって、ユーザー側が公開鍵を作成する時に、該公開鍵に前記記録媒体の前記固有番号を含ませる公開鍵作成ステップと、ユーザー側がコンテンツ管理者に対してコンテンツ供給契約を結ぶ際に、前記固有番号が含まれている前記公開鍵を契約公開鍵としてコンテンツ供給契約に添付して送信する契約公開鍵送信ステップと、コンテンツ管理者から配信されるコンテンツをユーザ側で受信するコンテンツ受信ステップと、ユーザー側がコンテンツを起動する時に、ユーザー側で前記記録媒体の前記固有番号を含ませて実行公開鍵の作成を行う実行公開鍵作成ステップと、ユーザー側がコンテンツを起動する時に、コンテンツ管理者が保管の前記契約公開鍵を要求して受信する契約公開鍵要求ステップと、前記コンテンツに含まれる照合プログラムにより自動的に、要求して配信された前記コンテンツ管理者が保管の前記契約公開鍵と前記実行公開鍵とを照合して、これらの公開鍵が同一の記録媒体の固有番号から作成されていることが判明した時に、コンテンツを利用出来る権利を起動毎に与える照合ステップとを含むことを特徴とする。
【００１０】
また、請求項７の発明は、記録媒体の記録層が２層で構成され、この２層のうちの片側の１層には、メディア１枚毎に変更や消去が出来ない記録媒体の固有番号が予め書き込まれている媒体を用いたコンテンツ受配信方法であって、ユーザー側が公開鍵を作成する時に、該公開鍵に前記記録媒体の前記固有番号を含ませる公開鍵作成ステップと、ユーザー側がコンテンツ管理者に対してコンテンツ供給契約を結ぶ際に、前記固有番号が含まれている前記公開鍵を契約公開鍵としてコンテンツ供給契約に添付して送信する契約公開鍵送信ステップと、コンテンツ管理者から配信されるコンテンツをユーザ側で受信するコンテンツ受信ステップと、ユーザー側がコンテンツを起動する時に、ユーザー側で前記記録媒体の前記固有番号を含ませて実行公開鍵の作成を行う実行公開鍵作成ステップと、作成した前記実行公開鍵をコンテンツ管理者に送信する実行公開鍵送信ステップと、前記コンテンツに含まれる照合プログラムにより自動的に、コンテンツ管理者側において保管の前記契約公開鍵とユーザ側から送られてきた前記実行公開鍵とを照合して、これらの公開鍵が同一の記録媒体の固有番号から作成されていることが判明した時に、コンテンツを利用出来る権利を伝送経路を経由して、起動毎にユーザ側に与える照合ステップとを含むことを特徴とする。
【００１１】
【発明の実施の形態】
以下、図面を参照して本発明の実施形態を詳細に説明する。
（基本構成）
本発明では、磁気ヘッドによる不正や書込みの危険性から保護するため、記録層が２層の磁気媒体を採用している。図１に示すように、この２層記録媒体は、符号１１で示す記録層が、符号１３、１５で示す２層から構成されている。なお、図１の構成は理解しやすい様に概略を模式的に示すもので、実際には、例えば、媒体基板、第１の下地層、下の記録層（下部層１５）、分離層、第２の下地層、上の記録層（上部層１３）、カーボン保護層を順に積層した構造体となっている。
【００１２】
その各層の磁気特性は図２に示すような特性であって、破線の曲線で示す低い保磁力Ｈｃ１を持つ上の記録層（以下、上層部と称する）１３と、実線の曲線で示す高い保磁力Ｈｃ２を持つ下の記録層（以下、下層部と称する）１５の２つの記録層からなる。２つの記録層１３、１５の保磁力には、Ｈｃ１≪Ｈｃ２の関係が成り立っているので、下層部１５は高保磁力を有し、そのため上層部１３を読み書きするハードディスクに組込みの磁気ヘッドでは下層部１５に信号を書き込むことが出来ず、下層部１５への書き込みはハードディスクの製造者のみがＨｃ２よりも高い磁界を発生する専用の磁気記録ヘッドを用いて書き込むことが出来る。
【００１３】
現在、ハードディスクでは、データを記録する為には、記録媒体に磁気的にサーボトラックが記録されている必要があり、そのためハードディスクメーカーでは、出荷前にハードディスクに記録専用ヘッドが搭載されたサーボトラックライターと称する装置を外部から取り付けて、一層構成の記録媒体にサーボトラックの書き込みを行っている。そこで、上記サーボトラックライターの記録専用ヘッドを、高磁場が発生するヘッドに取り替えれば、容易に記録媒体の固有番号を２層記録媒体の下層部１５に書き込むことが出来る。
【００１４】
この磁気転写技術の基本的な内容に関しては、特開２００１−３４９３９号公報に開示されているので参照されたい。また、上記のような２層記録媒体への転写技術の詳細については、本出願人が提案した特願２００１−２７９９０７号（平成１３年９月１４日出願）に詳述されているので参照されたい。
【００１５】
以下では、本発明に直接係わる２層記録媒体の下層部への磁気転写方法に関してのみ記載する。図３にその磁気転写技術の概要を示す。
【００１６】
まず、図３の（ａ）に示す初期化工程において、磁気記録媒体（ハードディスク）に対して水平方向の磁界であって、上記のＨｃ１およびＨｃ２よりも大きい外部磁界を印加することにより、記録層１１は上層部１３，下層部１５ともに初期磁化される（黒い矢印は磁界された方向を示す。以下同様）。
【００１７】
次に、図３の（ｂ）に示す下層部１５への転写工程において、線形状または島形状のパターンに加工された軟磁性層（軟磁性パターン）１３３が表面部分に埋め込まれた非磁性基板からなる磁気転写マスターディスク１３１を、上記の磁気記録媒体に密着または近接させた状態で、外部磁界Ｈｅｘを磁気記録媒体に対して水平方向に印加する。この時、外部磁界Ｈｅｘは初期磁界と反対方向の磁界で、大きさはＨｃ１≪Ｈｅｘ、Ｈｃ２≒Ｈｅｘを満たすものとする。
【００１８】
この結果、外部磁界Ｈｅｘが上層部１３の保磁力Ｈｃ１よりも十分大きいので、マスタディスク１３１の軟磁性パターン１３３の存在のいかんに関わらず、上層部１３は外部磁界Ｈｅｘの磁界の方向（即ち、初期磁化と反対方向）に一様に磁化される（矢印で示す）。一方、下層部１５では軟磁性パターン１３３の下の漏れ磁界が磁化を反転させる程大きくないため、軟磁性パターン１３３の下では初期磁化はそのまま保たれるが、軟磁性パターン１３３が無い部分では外部磁界Ｈｅｘにより磁化は反転する（黒い矢印で示す）。このように、下層部１５には、マスタディスク１３１の軟磁性パターン１３３の転写が行われる。
【００１９】
このようにして、ユーザー側では書き込み、消去が不可能な片側の１層目に相当する磁気記録媒体の下層部１５には、上記の磁気転写技術を用いて、例えば、後述のように、最終ユーザーが改竄出来ない固有番号またはコンテンツの暗号解読に必要な固有の鍵が予め出荷時には記録される。一方、他方の２層目に相当する磁気記録媒体の上層部１３には、ユーザ側で通常の磁気ヘッド（図４の１４１参照）を用いてデータ等が記録される。
【００２０】
磁気記録媒体に記録された信号の再生は１個の磁気ヘッドで行う為、下層部１５と上層部１３の信号が重畳されて検出されるが、下層部１５と上層部１３の再生信号の分離を行う方法として、例えば再生信号の振幅の相違を用いる方法があり、図４には、この再生信号の振幅相違による分離方法を示す。
【００２１】
図４の（ａ）は磁性体の磁気特性を示すもので、磁性体がいったん大きな磁場を経験すると、磁場が零でも一定の残留磁化が残る。磁場体の内部には残留磁化が残ることにより、その磁化を打ち消そうとする方向に磁場が発生し、これを減磁場という。磁気ヘッドの再生信号は、次式で表される。
【００２２】
【数１】
2004039035.tif 000003
【００２３】
但し、各変数は下記の通りである。
Ｌ：ヘッド，媒体間の結合インピーダンス
Ｖ：媒体の速度
Ｗ：記録されているトラックの幅
ｄ：ヘッド・媒体間の隙間
Ｍｒ：媒体の磁化成分
δ：媒体の磁性層の厚み
ａｘ：減磁場の遷移パラメータ
２ｇ：磁気ヘッドのギャップ長さ
【００２４】
図４の（ｂ）は磁性層と磁気ヘッドの位置関係を示し、磁性層の上層部１３の厚みは１０ｎｍで、磁気ヘッド１４１と磁性層上部とのギャップは１０ｎｍとし、磁性層の下層部１５の厚みは２０ｎｍで、磁気ヘッド１４１と磁性層下層部とのギャップは２０ｎｍとし、それ以外のことは同一とする。この条件で、上記の式に当てはめると、ｘ＝０での位置での出力電圧において、下層部１５の残留磁化による再生信号の電圧は、上層部１３の残留磁化による電圧の約２倍となる。この様子を図５の（ａ）および（ｂ）に示す。
【００２５】
図５の（ｃ）は、上層部１３と下層部１５とのパターンが重なる位置では、上層部１３の残留磁化による電圧と下層部１５の残留磁化による電圧とが重畳されて出力されることを表している。予め、各層の残留磁化による出力電圧が判っているので、磁気ヘッド１４１で読み取った再生信号を高周波でサンプリングし、波形解析を行うことにより、再生信号が何れの層によるのかを把握することが出来る。磁気記録媒体が２層記録媒体の場合には、上述のようにして、信号の記録，再生が行われる。
このようにして、ハードディスクに組み込まれた記録媒体に、最終ユーザーが改竄出来ない固有番号またはコンテンツの暗号解読に必要な固有の鍵を埋め込むことが出来る。
【００２６】
（比較例）
現在、銀行などが関与した電子商取引等を対象とした鍵を用いた暗号化方式が開発されている。鍵を用いた従来の暗号方式として、公開鍵暗号方式と共通鍵方式の２種類が挙げられる。
【００２７】
公開鍵暗号方式は、図６に示すように、鍵の作成者（ユーザーＡ）は、暗号化用に公開する公開鍵３１と複号化用の秘密鍵３２をペア（一対）で作成し、暗号化を必要とする商取引において、情報の送信を行う相手側（ユーザーＢ，Ｃ，Ｄ，…、ｎ）に、事前に公開鍵３１を送付し、ある送信者（ユーザーｎ）は、その公開鍵３１を用いて、送信する情報を暗号化する。暗号データを受け取った側（ユーザーＡ）は、公開鍵３１とペアで予め作った秘密鍵３２でその暗号データの復号化を行い、コンテンツを取得する。
【００２８】
この公開鍵暗号方式の短所は、ロジックが比較的複雑なので、暗号化の計算時間は後述の秘密共通鍵暗号方式と比べて長くかかる点である。一方、その長所は、送信者と受信者の間で安全に鍵の受け渡しを行うことが容易である点である。
【００２９】
一方、秘密共通鍵暗号方式は、図７に示すように、共通鍵暗号は、主として自分たちのデータを他社から秘匿するために用いるもので、ユーザーＢ，Ｃ，Ｄ，…、ｎごとに共通鍵４１〜４４を作成し、メッセージの秘匿通信に使用する場合に、暗号データを送る側（ユーザーｎ、またはユーザーＡ）は共通鍵の作成者から受け取った共通鍵４４でデータを暗号化し、またデータを受け取った側（ユーザーＡ、またはユーザｎ）は暗号化に使われた鍵と同じ鍵４４でその暗号化されたデータを復号化することで、コンテンツを取得する。
【００３０】
この秘密共通鍵暗号方式の長所は、ロジックが比較的単純なので、暗号化の計算時間は公開鍵暗号方式と比べて、短くて済む点である。一方、その短所は送信者と受信者の間で安全に鍵の受け渡しを行うことが困難である点である。
【００３１】
（第１の実施形態）
次に、本発明の一実施形態において、公開鍵暗号方式を利用して、コンテンツ管理者側とユーザー側間においてなされる、ユーザの公開鍵を組込んだコンテンツの配信の流れを図８に示し、コンテンツに含まれた契約公開鍵と実行公開鍵を用いたユーザー側での不正利用の監視の手順を図９に示す。以下にこれを順を追って説明する。
【００３２】
１）ユーザー側は、コンテンツ管理者が供給している暗号化，復号化プログラムを、インターネット等により入手し、これらプログラムを前述の２層記録媒体の１層目である上層部１３に記録する。
【００３３】
２）ユーザー側が、コンテンツ管理者側から供給を受けた暗号化プログラムを実行すると、パソコンまたはＡＶ機器のＨＤＤの構成部品である磁気記録媒体の２層目である下層部１５に製品出荷前に記録されている記録媒体の固有番号を自動的に検索し、検索した固有番号と別途ユーザー側が入力したパスワードとを組合わせて、公開鍵と秘密鍵を作成する。
【００３４】
３）ユーザー側は、生成された公開鍵を同封して、コンテンツ管理者に配信の契約を行う為の書類（配信契約書）の送付の依頼を行う。
【００３５】
４）コンテンツ管理者側は、配信契約書をユーザー側から送られた公開鍵で暗号化し、配信業者の公開鍵を添付して、ユーザー側に送付する。
【００３６】
５）ユーザー側は暗号化された配信契約書をユーザーの秘密鍵で復号化し、必要事項（例えば：契約者氏名，住所，支払い口座，配信希望コンテンツの種類など）を記入の上、コンテンツ管理者の公開鍵で暗号化してコンテンツ管理者側に配信する。
【００３７】
６）コンテンツ管理者側は、ユーザーから送付された配信契約書を自分の秘密鍵で復号化して、契約書の内容を確認し、ユーザーの希望するコンテンツに対して、既にコンテンツ管理者側に送付されているユーザーの公開鍵がユーザーに判らないように織り込まれて、ユーザーの公開鍵で暗号化してユーザーに配信する。また、このコンテンツには、コンテンツを利用しようとすると、自動的に前述のような手段で公開鍵が作成され、この作成された公開鍵と既にコンテンツに織り込まれている公開鍵とを比較，照会を行うための公開鍵作成用プログラムが組みこまれている。
【００３８】
７）ユーザー側は、配信された暗号化済みのコンテンツをユーザーの秘密鍵で復号化し、２層記録媒体の上層部１３に記録する。
【００３９】
８）ユーザーは、コンテンツを起動する時に、前述のユーザー公開鍵を作成する時に入力したパスワードを入力する。そうすると、コンテンツに組み込まれた公開鍵作成のプログラムが動作し、プログラムが格納されている磁気記録媒体の２層目の下層部１５に記録されている記録媒体の固有番号を自動的に検索し、検索された個有番号と入力されたパスワードとで、ユーザーの公開鍵（実行公開鍵）を自動生成する（図９のステップ６１）。そして、この実行公開鍵と、コンテンツに既に織り込み済みの契約時のユーザーの公開鍵（契約公開鍵）とを比較し（ステップ６３）、同一の個有番号であると（ステップ６４）、正規ユーザーとしてコンテンツの使用を許諾し（ステップ６５）、相違すると不正使用とみなし、イニシャル状態に戻る動作をする（ステップ６６）。
【００４０】
（第２の実施形態）
上述した図８では、コンテンツに含まれた照合プログラムにより、コンテンツに記録された契約公開鍵を用いて、実行公開鍵との照合を行う例を示したが、コンテンツに含まれた照合プログラムにより、コンテンツ管理者が管理する契約公開鍵を用いて、実行公開鍵との照合を行う例を本発明の第２の実施形態として図１０，図１１に示す。
【００４１】
１）ユーザー側は、コンテンツ管理者が供給している暗号化，復号化プログラムを、インターネット等により入手し、これらプログラムを前述の２層記録媒体の１層目である上層部１３に記録する。
【００４２】
２）ユーザー側が、コンテンツ管理者側から供給を受けた暗号化プログラムを実行すると、パソコンまたはＡＶ機器のＨＤＤの構成部品である磁気記録媒体の２層目である下層部１５に製品出荷前に記録されている記録媒体の固有番号を自動的に検索し、検索した固有番号と別途ユーザー側が入力したパスワードとを組合わせて、公開鍵と秘密鍵を作成する。
【００４３】
３）ユーザー側は、生成された公開鍵を同封して、コンテンツ管理者に配信の契約を行う為の書類（配信契約書）の送付の依頼を行う。
【００４４】
４）コンテンツ管理者側は、配信契約書をユーザー側から送られた公開鍵で暗号化し、配信業者の公開鍵を添付して、ユーザー側に送付する。
【００４５】
５）ユーザー側は暗号化された配信契約書をユーザーの秘密鍵で復号化し、必要事項（例えば：契約者氏名，住所，支払い口座，配信希望コンテンツの種類など）を記入の上、コンテンツ管理者の公開鍵で暗号化してコンテンツ管理者側に配信する。
【００４６】
６）コンテンツ管理者側は、ユーザーから送付された配信契約書を自分の秘密鍵で復号化して、契約書の内容を確認し、ユーザーの希望するコンテンツに対して、既にコンテンツ管理者側に送付されているユーザーの公開鍵がユーザーに判らないように織り込まれて、ユーザーの公開鍵で暗号化してユーザーに配信する。
【００４７】
７）コンテンツ管理者から配信されるコンテンツをユーザ側で受信し、記録媒体の上層部１３に記録する。
【００４８】
８）ユーザー側は、コンテンツを起動する時に、記録媒体の固有番号とパスワードとにより実行公開鍵の作成を行う（図１１のステップ８１）。
【００４９】
９）ユーザー側は、コンテンツ管理者が保管の契約公開鍵Ｍを要求して受信する（ステップ８２）。
【００５０】
１０）ユーザー側は、コンテンツに含まれる照合プログラムにより自動的に、上記契約公開鍵と実行公開鍵とを比較照合して（ステップ８３）、これらの公開鍵が同一の記録媒体の固有番号から作成されていることが判明した時に（ステップ８４）、コンテンツを利用出来る権利を与え（ステップ８５）、相違すると不正使用とみなし、イニシャル状態に戻る動作をする（ステップ８６）。
【００５１】
（第３の実施形態）
また、コンテンツに含まれた照合プログラムで、実行公開鍵をコンテンツ管理者に送付し、コンテンツ管理者側で、管理する契約公開鍵と、実行公開鍵との照合を行う例を、本発明の第３の実施形態として、図１２に示す。
【００５２】
１）〜７）は上述の第２の実施形態と同様なのでその説明は省略する。
【００５３】
８）ユーザー側は、コンテンツを起動する時に、記録媒体の固有番号とパスワードとにより実行公開鍵の作成を行う（図１２のステップ９１）。
【００５４】
９）コンテンツに含まれた照合プログラムで、実行公開鍵をコンテンツ管理者に送付する（ステップ９２）。
【００５５】
１０）コンテンツ管理者側は、管理する契約公開鍵と、送付された実行公開鍵との比較照合を行い（ステップ１０１）、これらの公開鍵が同一の記録媒体の固有番号から作成されていることが判明した時に（ステップ１０２）、コンテンツを利用出来る権利を与える通知をし（ステップ１０３）、相違すると不正使用とみなし、コンテンツ不可を通知する（ステップ１０４）。
【００５６】
１１）ユーザー側は、コンテンツ管理者側から送られたコンテンツの使用許託の有無を受信し（ステップ９３）、使用許託ありの場合はコンテンツを利用出来る権利を与え（ステップ９５）、否の場合は不正使用とみなし、イニシャル状態に戻る動作をする（ステップ９６）。
【００５７】
（他の実施形態）
以上、本発明の実施形態を詳述したが、本発明は、前述した実施形態の機能を実現するソフトウエアのプログラム（本実施形態では、図８〜図１２に示すフローチャートに対応したプログラム）を、システム或いは装置に直接或いは遠隔から供給し、そのシステム或いは装置のコンピュータがその供給されたプログラムを読み出して実行することによっても達成される場合を含む。その場合、プログラムの機能を有していれば、形態は、プログラムである必要はない。プログラムを供給するための記録媒体としては、例えばハードディスク、光ディスク、光磁気ディスク、ＭＯ、ＣＤ−ＲＯＭ、ＣＤ−Ｒなどがある。
【００５８】
【発明の効果】
以上説明したように、本発明によれば、記録層が２層で構成された記録媒体の片層には、メディア１枚毎に変更や消去が出来ない記録媒体の固有番号を、記録媒体の製造者により予め書き込んだ記録媒体を用いて、ユーザーがコンテンツ管理者にコンテンツ供給を契約する時に作成する契約用公開鍵に、記録媒体の固有番号を用い、コンテンツ管理者から供給を受けたコンテンツの実行の際に、その固有番号を用いて実行公開鍵を作成し、コンテンツ管理者またはコンテンツ内に保存の契約用公開鍵と実行公開鍵とが同一の固有番号から作成されたものか否かを判断して、同一の固有番号から作成されたと判断した場合には、コンテンツの利用の権利を与えることとしているので、情報コンテンツの提供契約を行ったユーザーが、第三者に対して漏洩したとしても、第三者の記録媒体の固有番号は、正規ユーザーの固有番号と相違する為、コンテンツのコピーによる不正使用を抑制することが出来る効果を奏する。
【図面の簡単な説明】
【図１】本発明で用いる磁気記録媒体の２層構成を示す模式的断面図である。
【図２】本発明で用いる２層構成の磁気記録媒体の各層の磁気特性を示す線グラフ図である。
【図３】本発明で用いる２層構成の磁気記録媒体の下層部に対する磁気転写のための（ａ）は初期化工程、（ｂ）は転写工程を示す模式的断面図である。
【図４】（ａ）は本発明で用いる２層構成の磁気記録媒体における残留磁化の様子を示す線グラフ図、（ｂ）はその２層構成の磁気記録媒体と磁気ヘッドとの位置関係を示す模式的断面図である。
【図５】本発明で用いる２層構成の磁気記録媒体から磁気ヘッドにより読み出された再生信号の波形を示し、（ａ）は上層部の再生信号の波形を、（ｂ）は下層部の再生信号の波形を、（ｃ）は両２層の再生信号の波形をそれぞれ示す波形図である。
【図６】一般的な公開鍵暗号方式を説明する概念図である。
【図７】一般的な秘密共通鍵暗号方式を説明する概念図である。
【図８】本発明の第１の実施形態における公開鍵暗号方式を用いたユーザーとコンテンツ管理者とのコンテンツ配信方法、および秘守の方法を示す説明図である。
【図９】本発明の第１の実施形態におけるコンテンツに含まれた照合プログラムで、ユーザー側においてコンテンツに含まれた契約公開鍵と、実行公開鍵との照合を行う例を示す流れ図である。
【図１０】本発明の第２の実施形態における公開鍵暗号方式を用いたユーザーとコンテンツ管理者とのコンテンツ配信方法、および秘守の方法を示す別の説明図である。
【図１１】本発明の第２の実施形態におけるコンテンツに含まれた照合プログラムで、ユーザー側においてコンテンツ管理者から送付された契約公開鍵と、実行公開鍵との照合を行う例を示す流れ図である。
【図１２】本発明の第３の実施形態におけるコンテンツに含まれた照合プログラムで、実行公開鍵をコンテンツ管理者に送付し、コンテンツ管理者側で、管理する契約公開鍵と、実行公開鍵との照合を行う例を示す流れ図である。
【符号の説明】
１１　磁気記録媒体の記録層
１３　上層部（上の記録層）
１５　下層部（下の記録層）
【図１】
2004039035.tif 000004
【図２】
2004039035.tif 000005
【図３】
2004039035.tif 000006
【図４】
2004039035.tif 000007
【図５】
2004039035.tif 000008
【図６】
2004039035.tif 000009
【図７】
2004039035.tif 000010
【図８】
2004039035.tif 000011
【図９】
2004039035.tif 000012
【図１０】
2004039035.tif 000013
【図１１】
2004039035.tif 000014
【図１２】
2004039035.tif 000015